【手続補正書】
【提出日】平成18年10月16日(2006.10.16)
【手続補正１】
【補正対象書類名】特許請求の範囲
【補正対象項目名】全文
【補正方法】変更
【補正の内容】
【特許請求の範囲】
【請求項１】
データを処理するための方法において、
第１のエンティティに対応する複数の事前受信レコードを突き合わせて、一致レコードを形成するステップと、
複数のＩＤを有するレコードを受信するステップであって、前記レコードが第１のエンティティに対応するステップと、
暗号アルゴリズムを使用して前記レコード内の前記複数のＩＤのうちの少なくとも２つを処理し、処理レコードを形成するステップと、
前記処理レコードを、前記一致レコードを含む事前保管データと比較するステップと、
前記第１のエンティティが第２のエンティティであると判別された場合に、前記一致レコードと前記処理レコードを突き合わせるステップと、
を有する方法。
【請求項２】
前記レコードへのソースの割当ておよび識別のうちの一方を行うステップをさらに有する、請求項１に記載の方法。
【請求項３】
前記一致レコードと前記処理レコードを突き合わせる前記ステップの後で、前記処理レコードの少なくとも一部分を暗号解読するステップをさらに有する、請求項２に記載の方法。
【請求項４】
前記処理レコードの前記暗号解読された少なくとも一部分が前記ソースである、請求項３に記載の方法。
【請求項５】
前記レコードにソルトを追加するステップをさらに有する、請求項１に記載の方法。
【請求項６】
複数の受信レコードを受信するステップをさらに有する、請求項１に記載の方法。
【請求項７】
前記暗号アルゴリズムを使用して前記レコードの少なくとも一部分を処理する前記ステップの前に、前記レコードを分析するステップをさらに有する、請求項１に記載の方法。
【請求項８】
前記レコードを分析する前記ステップが、
ユーザ定義基準と、
２次データベースおよびリストのうちの一方に含まれるデータ・セットと、
のうちの一方に照らし合わせて前記複数のＩＤのうちの少なくとも１つを比較するステップを含む、請求項７に記載の方法。
【請求項９】
前記レコードを拡張するステップをさらに有する、請求項８に記載の方法。
【請求項１０】
前記レコードを拡張する前記ステップが、ユーザ定義標準により前記複数のＩＤのうちの前記少なくとも１つをフォーマット設定するステップを含む、請求項９に記載の方法。
【請求項１１】
前記レコードを拡張する前記ステップが、前記複数のＩＤのうちの前記少なくとも１つに対する変形を生成し、前記レコードとともに前記変形を組み込むステップを含む、請求項９に記載の方法。
【請求項１２】
前記レコードを拡張する前記ステップが、
前記レコードに関する２次ＩＤについて前記データ・セットに照会するステップと、
前記２次ＩＤで前記レコードを補足するステップと、
を含む、請求項９に記載の方法。
【請求項１３】
前記レコードを標準化メッセージ・フォーマットに変換するステップをさらに有する、請求項１に記載の方法。
【請求項１４】
前記レコードを標準化メッセージ・フォーマットに変換する前記ステップが、前記複数のＩＤのそれぞれに符合するタイプ標識を使用するステップを含む、請求項１３に記載の方法。
【請求項１５】
前記暗号アルゴリズムを使用する前記ステップの後で前記タイプ標識が認識可能なものになる、請求項１４に記載の方法。
【請求項１６】
前記一致レコードと前記処理レコードを突き合わせる前記ステップが、
前記複数のＩＤのうちの少なくとも１つを有する前記事前保管データを検索するステップと、
前記複数のＩＤのうちの前記少なくとも１つを有する前記事前保管データに含まれない他のＩＤが前記処理レコードに含まれるかどうかを評価するステップと、
前記他のＩＤに基づいて、前記処理レコードとの一致について前記複数のＩＤのうちの前記少なくとも１つを有する前記事前保管データを分析するステップと、
を含む、請求項１に記載の方法。
【請求項１７】
前記処理レコードを突き合わせる前記ステップが、前記他のＩＤを有する２次事前保管データを検索し、複数のＩＤのうちの前記少なくとも１つを有する前記事前保管データとともに前記２次事前保管データを組み込むステップをさらに有する、請求項１６に記載の方法。
【請求項１８】
前記一致レコードと前記処理レコードを突き合わせる前記ステップが、永続キーを前記一致レコードおよび前記処理レコードに割り当てるステップを含む、請求項１に記載の方法。
【請求項１９】
ユーザ定義ルールに基づいてメッセージを発行するステップをさらに有する、請求項２に記載の方法。
【請求項２０】
前記メッセージが、前記レコードの前記ソースと、前記事前保管データの少なくとも１つのソースのうちの一方を含む、請求項１９に記載の方法。
【請求項２１】
ユーザ定義ルールに基づいてメッセージを発行する前記ステップが、ユーザ定義間隔でメッセージを発行するステップを含む、請求項１９に記載の方法。
【請求項２２】
前記処理レコードをデータベースに保管するステップをさらに有する、請求項１に記載の方法。
【請求項２３】
データを処理するための方法において、
複数のＩＤを有するレコードを受信するステップであって、前記レコードがあるエンティティに対応するステップと、
暗号アルゴリズムを使用して前記レコード内の前記複数のＩＤのうちの少なくとも２つを処理し、処理レコードを形成するステップと、
前記処理レコードを事前保管データと比較するステップと、
前記複数のＩＤに基づいて、前記エンティティを反映すると判別された前記事前保管データと前記処理レコードを突き合わせることにより、一致データを判別するステップと、
前記複数のＩＤに基づいて、前記エンティティを反映すると判別された前記事前保管データに含まれない他のＩＤが前記処理レコードに含まれるかどうかを分析するステップと、
前記他のＩＤに基づいて、前記エンティティを反映すると判別された前記事前保管データと前記一致データを突き合わせるステップと、
を有する方法。
【請求項２４】
データを処理するための方法において、
複数のＩＤを有するレコードを受信するステップであって、前記レコードがあるエンティティに対応するステップと、
暗号アルゴリズムを使用して前記レコード内の前記複数のＩＤのうちの少なくとも２つを処理し、処理レコードを形成するステップと、
前記処理レコードを事前保管データと比較するステップと、
前記エンティティとの関係を反映すると判別された前記事前保管データに前記処理レコードを関連付けるステップと、
を有する方法。
【請求項２５】
データを処理するための方法において、
複数のＩＤを有するレコードを受信するステップであって、前記レコードがあるエンティティに符合し、前記複数のＩＤのうちの少なくとも１つが暗号アルゴリズムを使用して事前に処理されているステップと、
前記レコードを事前保管データと比較するステップであって、前記事前保管データの少なくとも一部分が前記暗号アルゴリズムを使用して事前に処理されているステップと、
前記エンティティを反映すると判別された前記事前保管データと前記レコードを突き合わせるステップと、
複数のメッセージのうちの少なくとも１つがノイズである、複数のメッセージを発行するステップと、
を有する方法。
【請求項２６】
データを処理するための方法において、
複数のＩＤを有するレコードを受信するステップであって、前記レコードがあるエンティティに符合し、前記複数のＩＤのうちの少なくとも１つが暗号アルゴリズムを使用して事前に処理されているステップと、
前記レコードを事前保管データと比較するステップであって、前記事前保管データの少なくとも一部分が前記暗号アルゴリズムを使用して事前に処理されているステップと、
前記エンティティとの関係を反映すると判別された前記事前保管データに前記レコードを関連付けるステップと、
複数のメッセージのうちの少なくとも１つがノイズである、複数のメッセージを発行するステップと、
を有する方法。
【請求項２７】
請求項１〜２６の何れかに記載の方法の各ステップをコンピュータに実行させる、コンピュータプログラム。